(57)【要約】制御環境下において、1900MHzから900MHzへの内部ハンドオーバを許すように構成された方法及び装置である。本発明の方法を用いることで、テスト中のユーザ端末(UE)の呼を切断し、1800MHzセルを除去して1900MHzセルを設定し、UEに1900MHzセルのサーチ、登録及び新しい呼の確立の実行を許可し、GSM1900MHzでのテストを実行するのに要する合計時間が数秒に削減される。数百万のUEが製造される生産ラインにおいて、本発明によって節約される時間は生産コストの大幅な節約を可能とする。
2010517348.tif 000002
【特許請求の範囲】
【請求項１】
制御された環境において、複数の周波数帯で動作可能なユーザ端末(UE)をテストする方法であって、
呼を1900MHz帯で有効化するステップと、
保護条件に合致する場合に900MHz帯へ移動させるステップと、を有することを特徴とする方法。
【請求項２】
前記保護条件が、PLMN 00000又はPLMN 00101であることを特徴とする請求項１記載の方法。
【請求項３】
前記UEが、テストシーケンス全体を通じて前記呼をアクティブな状態に維持するように構成されることを特徴とする請求項１記載の方法。
【請求項４】
前記UEが、移動端末、携帯電話機、スマートフォン及び携帯情報端末(PDA)から選択されることを特徴とする請求項３記載の方法。
【請求項５】
前記UEが4バンドモードで動作することを特徴とする請求項４記載の方法。
【請求項６】
4バンドユーザ端末(UE)をテストする方法であって、
WCDMA2100モードの前記UEで呼をアクティブにして2100MHz帯で検証テストを実行するステップと、
前記呼のGSM1900へのハンドオーバを実行し、1900MHz帯で検証テストを実行するステップと、
前記1900MHz帯から900MHz帯へ規格外のGSMハンドオーバを実行し、前記900MHz帯で検証テストを実行するステップと、
前記900MHz帯から1800MHz帯へ内部GSMハンドオーバを実行し、前記1800MHz帯で検証テストを実行するステップと、を有することを特徴とする方法。
【請求項７】
前記UEが、移動端末、携帯電話機、スマートフォン及び携帯情報端末(PDA)から選択されることを特徴とする請求項６記載の方法。
【請求項８】
モバイルプラットフォームを有する4バンドユーザ端末(UE)であって、
2100MHz帯において前記UEで検証テストを実行できるよう、WCDMA2100モードの前記UEで呼をアクティブにする手段と、
1900MHz帯において前記UEで検証テストを実行できるよう、前記呼のGSM1900へのハンドオーバを実行する手段と、
900MHz帯で検証テストを実行できるよう、前記1900MHz帯から前記900MHz帯へ規格外のGSMハンドオーバを実行する手段と、
1800MHz帯で検証テストを実行できるよう、前記900MHz帯から前記1800MHz帯への内部GSMハンドオーバを実行する手段と、を有することを特徴とするUE。
【請求項９】
前記UEが、移動端末、携帯電話機、スマートフォン及び携帯情報端末(PDA)から選択されることを特徴とする請求項８記載のUE。
【請求項１０】
ユーザ端末(UE)にインストールされて実行可能なモバイルプラットフォームであって、
2100MHz帯において前記UEで検証テストを実行できるよう、WCDMA2100モードの前記UEで呼をアクティブにし、
1900MHz帯において前記UEで検証テストを実行できるよう、前記呼のGSM1900へのハンドオーバを実行し、
900MHz帯で検証テストを実行できるよう、前記1900MHz帯から前記900MHz帯へ規格外のGSMハンドオーバを実行し、
1800MHz帯で検証テストを実行できるよう、前記900MHz帯から前記1800MHz帯への内部GSMハンドオーバを実行する、ように構成されたコンピュータコードを有することを特徴とするモバイルプラットフォーム。
【請求項１１】
移動端末、携帯電話機、スマートフォン及び携帯情報端末(PDA)から選択されたUEで実行されるように構成されることを特徴とする請求項１０記載のモバイルプラットフォーム。
【発明の詳細な説明】
【背景技術】
【０００１】
本明細書において用いられる略語の意味は以下の通りである。
CDMA  符号分割多元アクセス
DCS  ディジタル通信システム
GSM  Global System for Mobile Communications PCS  パーソナル通信システム
UE  ユーザ端末。移動端末、携帯電話機、スマートフォン及び／又は携帯情報端末(PDA)を含む。
WCDMA  広帯域CDMA
WLAN  広域ローカルアクセスネットワーク
【０００２】
製造ライン又は他のどこかにおいて、UEを、有効化又は較正してから有効化するためにテストする場合、いくつかの周波数帯及び／又はアクセス技術をテストする必要がある。図１は、４バンドUEの製品テストを行う際の従来方法を示すメッセージフロー１００である。図示されたステップは以下のようなものである。
1 . WCDMA2100でスタートし、2100MHzでテストを実行する。
2. GSM900へのハンドオーバを実行し、900MHzでテストを実行する。
3. 900MHzから1800MHzへGSM内ハンドオーバを実行し、1800MHzでテストを実行する。
4. 呼を切断し、1800MHzのセルを除去してGSM1900セルを設定する。
5. UEに1900MHzセルのサーチ実行、登録及び新しい呼の確立を許可し、その後、GSM1900でテストを実行する。
【０００３】
なお、本明細書において具体的な周波数、例えば1900MHz、が用いられる場合、セルラ電気通信システムで用いられるように、この具体的な周波数を含みうる周辺の一般的な周波数帯を指すものと解釈されるべきであることに留意されたい。GSMハンドオーバの実行に要する時間は１００ミリ秒(ms)未満だが、上述のステップ４からステップ５への移行には１０秒以上かかることもある。UEはWCDMA、GSM、WLANのような異なるアクセス技術、及び／又はGSM、DCS、PCS及び／又はWCDMA1900MHz/2100MHzのような複数の異なる周波数帯に対応可能であるが、異なる技術の仕様を説明している規格は、UEが複数の技術及び／又は周波数帯を規定された方法で遷移することを要求している。遷移は以下の２つの方法のうちいずれかによって実行可能である。１番目の方法は、確立された専用のコネクションをUEが持たない非専用モードでなされる。非専用モードでアクセス技術又は周波数を変更するには、UEが目標の技術／周波数のサーチを行わなければならず、時間がかかる。２番目の方法は、専用／接続モードでなされる。専用モードでのアクセス技術又は周波数の変更は、非常に素速く実行される。
【０００４】
Leungの開示によれば、テストの実行には２つの特別なコマンドが必要である。
Command_1：UEにPCSバンドで動作するように命令する、所定範囲のチャンネル番号を有するハンドオーバコマンド
Command_2：UEにDCSバンドで動作するように命令する、所定範囲のチャンネル番号を有するハンドオーバコマンド
【０００５】
Leungにおいて、コマンドはパーソナルコンピュータからシリアルポートを介してUEへ送信される。パーソナルコンピュータはまた、汎用命令バスを介して、ネットワークをエミュレートするGSMテスタにも接続されている。UEの利用可能な技術及び周波数でテストを実行するために必要な時間により、生産時間は悪影響を受ける。
【０００６】
そのため、非専用モードでの遷移を行わなくて済むような、異なる複数のアクセス技術及び周波数間における規格外の遷移を可能とする方法及び装置が望まれている。
【発明の概要】
【０００７】
UEを生産ライン又は他の場所でテストする場合、UEを有効化もしくは較正の後に有効化するために、いくつかのアクセス技術及び／又は周波数帯をテストする必要がある。本発明は、テストの実行に要する時間を大幅に削減するようにこうせいされた方法及び装置である。互換性のない２つのGSM周波数帯の間で遷移するUEで動作可能な本発明の実施形態を説明するが、本発明はそのような実施形態には限定されない。
【０００８】
本発明は、現在では不可能な、制御環境下における1900MHzから900MHzへの内部ハンドオーバを許すように構成される。本発明を用いることで、テスト中のUEの呼を切断し、1800MHzのセルを除去してGSM1900MHzセルを設定し、UEに1900MHzセルのサーチ、登録及び新しい呼の確立の実行を許し、そしてGSM1900MHzでのテストを実行するのに要する合計時間を、数秒に削減することができる。数百万のUEが製造される生産ラインにおいて、本発明によって節約される時間は生産コストの大幅な節約を可能とする。
【図面の簡単な説明】
【０００９】
【図１】４バンドUEの従来のテスト手順についてのメッセージフローである。
【図２】４バンドUEの本発明を用いたテスト手順についてのメッセージフローである。
【図３】本発明の方法を用いるように構成される４バンドUEのブロック図である。
【発明を実施するための形態】
【００１０】
出願人のモバイルプラットフォーム上で稼働する従前のUEの多くは、GSM900/1800又はGSM850/1900のデュアルバンドモードで動作可能である。UEに適用可能な技術標準による要求などのいくつかの理由により、これら従前のUEは、移動体ネットワークへの専用コネクションを有している際には、異なるモードにおける周波数間を移動することができない。理由の１つは、絶対無線周波数チャネル番号（ARFCN）が、1800MHz帯と1900MHz帯とで重複していることである。ARFCNはGSM無線システムにおいて、特定のRFチャネルを識別するために用いられるチャネル採番方法である。従って、UEは割り当てられた周波数が1800MHzか1900MHz帯に属するかを知らせることができないので、割り当てられたARFCNは現在UEが稼働しているモードに属するものと仮定される。例えば、テスト中のUEがGSM900/1800モードにあり、識別情報(id)＝７００を有するトラフィックチャネル(TCH)ARFCNを受信したとする。1800MHz周波数モードにおいてこのidは特定の周波数に位置し、UEはこの周波数上のTCHへ移動するであろう。しかし、UEがGSM850/1900モードにあり、id＝７００を有するARFCNへの割り当てを受信したとすると、メッセージ内容は同じであっても、UEは別の周波数に移動するであろう。
【００１１】
同様に、テスト中のUEが４バンドモード、WCDMA2100、GSM900/1800/1900で動作可能であり、本発明を用いない場合には、UEをテスト機器に接続したままこれら３つのGSM帯の全てをテストするように構成された方法又は装置は存在しない。GSM900と1800との間での移動については、呼をアクティブのまま維持することが可能であるが、呼がエミュレートされたネットワークに接続したまま1900MHz帯へ転送する方法は存在しない。
【００１２】
本発明は、UEがシーケンス全体を通じて呼をアクティブなまま維持できるよう、所定の保護状態が満足された場合には、1900MHz帯でアクティブな呼を有するUEが900MHz帯へ移動することを可能にする。図２は、４バンドUEの本発明を用いたテスト手順についてのメッセージフロー２００である。図示された本発明のステップは以下のようなものである。
1 . WCDMA2100で呼をアクティブにし、2100MHz帯でテストを実行する。
2. 呼をGSM1900へハンドオーバし、1900MHz帯でテストを実行する。
3. 1900MHz帯から900MHz帯への規格外GSMハンドオーバを許可し、900MHz帯でテストを実行する。
4. 900MHz帯から1800MHz帯への内部GSMハンドオーバを実行し、1800MHz帯でテストを実行する。
【００１３】
上述のシーケンスにおいて、呼は切断されず、1900MHz帯と他のGSM帯との間の切断という時間のかかるステップが省かれる。その結果、本発明はUEの全GSM帯をテストするのに要する時間を大幅に削減する。
【００１４】
本発明においては、従来の方法と異なる順番で複数の周波数帯のテストを行う。例えば、1900MHz帯から900MHz帯へ遷移するためにUEに実装される疑似コードは以下の通りである。
もし（現在、UEは制御環境下で登録されており、特定のPLMNによって識別できるかもしれない。）であれば、
｛もし（現在、UEがPCS ARFCN上にあり、目標のARFCNが900MHz帯上にある）であれば
｛特別な条件に起因して、正式にはサポートされていなくても遷移が許可する。｝｝
【００１５】
セキュリティレベルがやや劣るが、本発明の別の実施方法についての擬似コードは以下の通りである。
もし（現在のARFCN＝規定された1900ARFCN  かつ  目標ARFCN＝規定された900ARFCN）であれば
｛特別な条件に起因して、正式にはサポートされていなくても遷移を許可する。｝
【００１６】
図３は、本発明の上述した方法を実施するように構成された４バンドUE３０１のブロック図３００である。図示するように、４バンドUE３０１はテスト機器３０２に接続されている。UE３０１及びテスト機器３０２は好ましくはRFケーブルで接続され、他の接続は不要である。異なる周波数に対する複数のハンドオーバコマンドが、テスト機器３０２からUE３０１へ送信される。
【００１７】
上述の例は、技術間の実際の遷移として完全なものではなく、より詳細なテストプロトコルの一部である。上述の通り、PCS1900からGSM900への規格外遷移は、特別な条件が満たされた場合のみ許される。これらの条件はUEによって評価される。条件は、PLMNが00000又はPLMNが00101であること、目標周波数がGSM帯にあること、及び、元の周波数がPCS帯にあることである。これらの条件は実際のネットワークでは起こりえないが、制御されたテスト環境においては設定可能である。本発明はPCのような特別な機器を必要としないことはもちろん、テスト機器がテスト中のUEへ特別なコマンドを送信する必要もない。本発明は、テスト処理又はインテリジェンスがUEに存在することを許すので、外部テスト機器やソフトウェアが不要であり、コスト及び設定時間を節約することができる。本発明の方法はUE内で実施され、ハードウェアに実装されたり、UEのプロセッサで実行可能なモバイルプラットフォームの一部としてのコンピュータコードとして実装されたりする。
【００１８】
本技術分野に属する当業者が理解するように、本出願において説明した革新的な概念は、広範囲の用途にわたって修正又は変更可能である。従って、特許の対象となる範囲は上述の具体的な例示のいずれにも限定されるべきでなく、以下の特許請求の範囲によって規定される。
【図１】
2010517348.tif 000003
【図２】
2010517348.tif 000004
【図３】
2010517348.tif 000005
【手続補正書】
【提出日】平成20年11月19日(2008.11.19)
【手続補正１】
【補正対象書類名】特許請求の範囲
【補正対象項目名】全文
【補正方法】変更
【補正の内容】
【特許請求の範囲】
【請求項１】
テスト環境において、複数の周波数帯で動作可能なユーザ端末(UE)をテストする方法であって、
呼を1900MHz帯で有効化するステップと、
特別な条件に合致する場合に900MHz帯へ移動させるステップと、を有することを特徴とする方法。
【請求項２】
前記特別な条件が、PLMN 00000又はPLMN 00101であることを特徴とする請求項１記載の方法。
【請求項３】
前記UEが、テストシーケンスを通じて前記呼をアクティブな状態に維持するように構成されることを特徴とする請求項１記載の方法。
【請求項４】
前記UEが、移動端末、携帯電話機、スマートフォン及び携帯情報端末(PDA)から選択されることを特徴とする請求項３記載の方法。
【請求項５】
前記UEが4バンドモードで動作することを特徴とする請求項４記載の方法。
【請求項６】
4バンドユーザ端末(UE)をテストする方法であって、
WCDMA2100モードの前記UEで呼をアクティブにして2100MHz帯で検証テストを実行するステップと、
前記呼のGSM1900へのハンドオーバを実行し、1900MHz帯で検証テストを実行するステップと、
前記1900MHz帯から900MHz帯へ規格外のGSMハンドオーバを実行し、前記900MHz帯で検証テストを実行するステップと、
前記900MHz帯から1800MHz帯へ内部GSMハンドオーバを実行し、前記1800MHz帯で検証テストを実行するステップと、を有することを特徴とする方法。
【請求項７】
前記UEが、移動端末、携帯電話機、スマートフォン及び携帯情報端末(PDA)から選択されることを特徴とする請求項６記載の方法。
【請求項８】
モバイルプラットフォームを有する4バンドユーザ端末(UE)であって、
2100MHz帯において前記UEで検証テストを実行できるよう、WCDMA2100モードの前記UEで呼をアクティブにする手段と、
1900MHz帯において前記UEで検証テストを実行できるよう、前記呼のGSM1900へのハンドオーバを実行する手段と、
900MHz帯で検証テストを実行できるよう、前記1900MHz帯から前記900MHz帯へ規格外のGSMハンドオーバを実行する手段と、
1800MHz帯で検証テストを実行できるよう、前記900MHz帯から前記1800MHz帯への内部GSMハンドオーバを実行する手段と、を有することを特徴とするUE。
【請求項９】
前記UEが、移動端末、携帯電話機、スマートフォン及び携帯情報端末(PDA)から選択されることを特徴とする請求項８記載のUE。
【請求項１０】
ユーザ端末(UE)にインストールされて実行可能なモバイルプラットフォームであって、
2100MHz帯において前記UEで検証テストを実行できるよう、WCDMA2100モードの前記UEで呼をアクティブにし、
1900MHz帯において前記UEで検証テストを実行できるよう、前記呼のGSM1900へのハンドオーバを実行し、
900MHz帯で検証テストを実行できるよう、前記1900MHz帯から前記900MHz帯へ規格外のGSMハンドオーバを実行し、
1800MHz帯で検証テストを実行できるよう、前記900MHz帯から前記1800MHz帯への内部GSMハンドオーバを実行する、ように構成されたコンピュータコードを有することを特徴とするモバイルプラットフォーム。
【請求項１１】
移動端末、携帯電話機、スマートフォン及び携帯情報端末(PDA)から選択されたUEで実行されるように構成されることを特徴とする請求項１０記載のモバイルプラットフォーム。
【国際調査報告】
2010517348.tif 000006
2010517348.tif 000007